(57)【特許請求の範囲】
【請求項１】
回動操作により光学特性を可変するリング状の第１の操作部材と、
前記第１の操作部材と同軸上に並設され、回動操作により光学特性を可変するリング状の第２の操作部材と、
前記第１の操作部材と前記第２の操作部材との間に設けられたリング状の中間枠部材と、
前記中間枠部材の外周面に設けられ、前記第１の操作部材に密着して水密保持する第１の突起部および前記第２の操作部材に密着して水密保持する第２の突起部が一体的に周回りに形成されたリング状の水密保持部と、
を具備することを特徴とする内視鏡用撮像装置。
【請求項２】
前記水密保持部は、前記中間枠部材にインサート成形により設けられていることを特徴とする請求項１に記載の内視鏡用撮像装置。
【請求項３】
前記第１の突起部および前記第２の突起部は、前記水密保持部の両端部に形成されていることを特徴とする請求項または請求項２に記載の内視鏡用撮像装置。
【請求項４】
前記第１の突起部および前記第２の突起部は、前記中間枠部材の両端部よりも中央寄りの内側に形成されていることを特徴とする請求項１から請求項３のいずれか１項に記載の内視鏡用撮像装置。
【請求項５】
前記水密保持部は、前記第１の突起部および前記第２の突起部の間の中央部に外方へ突出する捻れ防止部を備えている請求項１から請求項４のいずれか１項に記載の内視鏡用撮像装置。
【請求項６】
前記第１の突起部および前記第２の突起部は、断面半円状であることを特徴とする請求項１から請求項５のいずれか１項に記載の内視鏡用撮像装置。
【請求項７】
前記第１の突起部および前記第２の突起部は、断面三角形状であることを特徴とする請求項１から請求項５のいずれか１項に記載の内視鏡用撮像装置。
【発明の詳細な説明】
【技術分野】
【０００１】
本発明は、内視鏡の接眼部に着脱可能に連結される内視鏡用撮像装置に関する。
【背景技術】
【０００２】
近年、体腔内に細長の挿入部を挿入してこの体腔内の観察を行うと共に、必要に応じて処置具を使用した簡単な治療処置を行う医療用の内視鏡装置が広く使用されている。また、挿入部を配管内に挿入して観察を行う工業用の内視鏡装置も知られている。
【０００３】
内視鏡装置は、使用者が直接肉眼にて目視して行う接眼部を有したものがある。その他、多数の観察者による同時観察を行うため、観察記録を残すなどの理由により、内視鏡の接眼部に装着して、観察映像をモニタにより観察する内視鏡用撮像装置がある。
【０００４】
このような内視鏡用撮像装置は、例えば、特許文献１に開示されており、異なる位置に画像形成面を有する様々なカメラに内視鏡を連結し、且つ真のズーム機能を保持する可変焦点および可変倍率を有する光カプラの技術が知られている。
【先行技術文献】
【特許文献】
【０００５】
【特許文献１】特表２００１−５０３１５９号公報
【発明の概要】
【発明が解決しようとする課題】
【０００６】
ところで、従来の内視鏡用撮像装置のように、ズーム機能を可変する操作リングの他、焦点を調整する操作リングが並設されたものがある。
【０００７】
このような光学特性を可変調整する複数の操作リングが並設された従来の内視鏡用操作装置は、複数の操作リングの間に可動をスムーズにするスペーサが設けられて、Ｏリングなどの一般的なシール部材によって水密保持されている。
【０００８】
しかしながら、医療用の内視鏡に装着される内視鏡用撮像装置は、並設された複数の操作リング間、特にスペーサによって形成される隙間は狭いため、丁寧に洗浄する必要があり、手間が掛かるという問題があった。
【０００９】
そこで、本発明は上記事情に鑑みてなされたもので、光学特性を可変調整する複数の操作リングを確実に水密保持すると共に、洗浄の作業性が向上する内視鏡用撮像装置を提供することを目的とする。
【課題を解決するための手段】
【００１０】
本発明の一態様による内視鏡用撮像装置は、回動操作により光学特性を可変するリング状の第１の操作部材と、前記第１の操作部材と同軸上に並設され、回動操作により光学特性を可変するリング状の第２の操作部材と、前記第１の操作部材と前記第２の操作部材との間に設けられたリング状の中間枠部材と、前記中間枠部材の外周面に設けられ、前記第１の操作部材に密着して水密保持する第１の突起部および前記第２の操作部材に密着して水密保持する第２の突起部が一体的に周回りに形成されたリング状の水密保持部と、を具備する。
【発明の効果】
【００１１】
本発明によれば、光学特性を可変調整する複数の操作リングを確実に水密保持すると共に、洗浄の作業性が向上する内視鏡用撮像装置を提供することができる。
【図面の簡単な説明】
【００１２】
【図１】本発明の一態様の内視鏡用撮像装置の全体構成を示す側面図
【図２】同、内視鏡用撮像装置の構成を示す断面図
【図３】同、内視鏡用撮像装置が内視鏡に装着された状態を示す部分断面図
【図４】同、防水リングの構成を示す斜視図
【図５】同、防水リング構成を示す断面図
【図６】同、防水リングによって焦点調整リングおよびズーム調整リングを水密保持した状態を示す部分断面図
【図７】同、第１の変形例の防水リングの構成を示す斜視図
【図８】同、第１の変形例の防水リングの構成を示す断面図
【図９】同、第１の変形例の防水リングによって焦点調整リングおよびズーム調整リングを水密保持した状態を示す部分断面図
【図１０】同、第２の変形例の防水リングによって焦点調整リングおよびズーム調整リングを水密保持した状態を示す部分断面図
【図１１】同、第３の変形例の防水リングによって焦点調整リングおよびズーム調整リングを水密保持した状態を示す部分断面図
【図１２】同、第４の変形例の防水リングによって焦点調整リングおよびズーム調整リングを水密保持した状態を示す部分断面図
【図１３】同、第５の変形例の防水リングによって焦点調整リングおよびズーム調整リングを水密保持した状態を示す部分断面図
【図１４】同、第６の変形例の防水リングによって焦点調整リングおよびズーム調整リングを水密保持した状態を示す部分断面図
【図１５】同、第７の変形例の防水リングによって焦点調整リングおよびズーム調整リングを水密保持した状態を示す部分断面図
【図１６】同、第８の変形例の防水リングによって焦点調整リングおよびズーム調整リングを水密保持した状態を示す部分断面図
【図１７】同、第９の変形例の防水リングによって焦点調整リングおよびズーム調整リングを水密保持した状態を示す部分断面図
【図１８】同、第１０の変形例の防水リングによって焦点調整リングおよびズーム調整リングを水密保持した状態を示す部分断面図
【図１９】同、第１１の変形例の防水リングによって焦点調整リングおよびズーム調整リングを水密保持した状態を示す部分断面図
【図２０】参考例の防水リングの構成を示す斜視図
【図２１】参考例の防水リングの構成を示す断面図
【図２２】参考例の防水リングの一部構成を示す拡大断面図
【図２３】参考例の防水リングによって焦点調整リングおよびズーム調整リングを水密保持した状態を示す部分断面図
【発明を実施するための形態】
【００１３】
以下、図面を参照して本発明の内視鏡用撮像装置を説明する。図面は、本発明の一態様に係り、図１は内視鏡用撮像装置の全体構成を示す側面図、図２は内視鏡用撮像装置の構成を示す断面図、図３は内視鏡用撮像装置が内視鏡に装着された状態を示す部分断面図、図４は防水リングの構成を示す斜視図、図５は防水リング構成を示す断面図、図６は防水リングによって焦点調整リングおよびズーム調整リングを水密保持した状態を示す部分断面図である。
【００１４】
図１に示す、内視鏡用撮像装置１は、内視鏡連結部としての内視鏡接続部（内視鏡用連結部）２と、内視鏡接続部２に連設された撮像光学系としてのレンズユニット部３と、レンズユニット部３に連設された撮影手段としてのカメラ部４と、カメラ部４の基端から延設するように折れ止め５ａが設けられて接続されたケーブル５と、を有して主に構成されている。
【００１５】
内視鏡接続部２は、例えば、後述する硬性内視鏡としての内視鏡に着脱自在に連結される。レンズユニット部３は、回転させてピント調整およびズーム機能を操作する焦点調整リング６およびズーム調整リング７が軸方向の同軸上に並設されている。カメラ部４には、レリーズボタンなどのスイッチ類８が設けられている。
【００１６】
図２および図３に示すように、内視鏡接続部２は、レンズユニット部３に装着されており、内視鏡１００の挿入部１０１の基端に設けられた接眼部１０２を保持するリング状の保持管１１と、この保持管１１を覆うように設けられた円管状の外装部１２と、を有している。
【００１７】
レンズユニット部３は、内視鏡１００の接眼部１０２に対向するカバーガラス２１を保持するカバーガラス保持枠２２と、このカバーガラス保持枠２２が皿ビス２３によって固定されるフレームとしてのレンズ鏡筒２５と、略管状のフレームであって保持枠としてのカプラーオサエ２４と、を有している。
【００１８】
なお、カプラーオサエ２４は、カバーガラス保持枠２２の前面部分からレンズ鏡筒２５の先端部分の外周部を覆うようにレンズ鏡筒２５に螺着されている。
【００１９】
そして、カプラーオサエ２４およびレンズ鏡筒２５は、内視鏡接続部２の保持管１１の基端部分を挟むようにして保持している。
【００２０】
レンズ鏡筒２５の内部には、焦点調整レンズ２６を保持するフレームの１つである第１の移動レンズ枠２７と、前方レンズ２８を保持するフレームの１つである第２の移動レンズ枠２９と、ズームレンズ群３０を保持するフレームの１つである第３の移動レンズ枠３１と、第２の移動レンズ枠２９の基端に嵌合された後群レンズ３２を保持するフレームの１つである固定レンズ枠３３と、が設けられている。
【００２１】
なお、レンズ鏡筒２５の外周部には、第１の操作部材である焦点調整リング６および第２の操作部材であるズーム調整リング７が回動自在に外挿されている。
【００２２】
これら焦点調整リング６およびズーム調整リング７は、水密保持部材であって防水部としての１つの防水リング５０を介して、それぞれの間が水密保持された状態となっている。この防水リング５０は、レンズ鏡筒２５の外周部に嵌合固定されている。なお、防水リング５０の詳細な構成については、後で詳しく説明する。
【００２３】
さらに、焦点調整リング６およびズーム調整リング７は、離反する端部分において、水密保持部材であるＯリング３６によって内視鏡接続部２の保持管１１またはカメラ部４の外装部４ａとも水密保持されている。なお、レンズユニット部３は、ここでは説明を省略するが、その他の各フレームなども水密保持部材であるＯリングなどの防水シールによって水密接合されている。
【００２４】
また、レンズユニット部３の焦点調整リング６は、図示しないカムフォロアが設けられ、焦点調整のために回動操作されることでカム溝が設けられた第１の移動レンズ枠２７をカム機構によって進退移動させる。
【００２５】
同様に、レンズユニット部３のズーム調整リング７も、図示しないカムフォロアが設けられ、テレ／ワイドのために回動操作されることでカム溝が設けられた第３の移動レンズ枠３１をカム機構によって進退移動させる。
【００２６】
図２に示すように、カメラ部４の外装部４ａ内には、矩形筒状のフレームカバー４１と、このフレームカバー４１の基端に固定された環状の背面フレーム４２と、この背面フレーム４２とビス留め固定される筒状のケーブル保持フレーム４３と、背面フレーム４２とケーブル保持フレーム４３との間で保持される硬質基板４４と、フレームカバー４１によって形成される空間内に設けられた基板ホルダ４５と、この基板ホルダにフォーミングされた撮像素子基板３８と、撮像素子基板３８に設けられたＣＣＤ、ＣＭＯＳなどの撮像素子３７と、を有している。
【００２７】
フレームカバー４１は、先端部分がレンズユニット部３の固定レンズ枠３３に固定されている。また、ケーブル保持フレーム４３は、ケーブル５の折れ止め４ａを保持する。
【００２８】
硬質基板４４は、図示しない電気コネクタが設けられており、ケーブル５内に配設された各種信号ケーブル、撮像ケーブルなどが接続されて、これらケーブルと電気コネクタとが電気的に導通するプリント配線が施されている。
【００２９】
なお、内視鏡用撮像装置１は、以上に説明していないその他の構成要素が従来と同様であるため、それら構成要素の詳細な説明を省略する。
【００３０】
以上のように構成された本実施の形態の内視鏡用撮像装置１は、レンズユニット部３に設けられた各光学系によって内視鏡１００の観察像が撮像素子３７に結像されて、検出された観察像が光電変換されて、ケーブル５を介して撮像信号が図示しないビデオプロセッサに出力される。
【００３１】
こうして、内視鏡用撮像装置１は、内視鏡１００の接眼部１０２に装着することで、図示しないモニタに内視鏡１００の観察像を表示させることができる。
【００３２】
ここで、レンズユニット部３の焦点調整リング６およびズーム調整リング７を水密保持する防水リング５０の構成について、図４から図６を用いて、以下に詳しく説明する。
【００３３】
図４および図５に示すように、防水リング５０は、リング状の水密保持部である防水ゴム５１と、この防水ゴム５１が外周部に設けられたリング状の中間枠部材であるスペーサ５２を有して構成されている。
【００３４】
防水ゴム５１は、両端に断面略半円状の突起部５３が周回りに形成され、スペーサ５２の断面コの字状の外周表面部に設けられている。これら２つの突起部５３は、スペーサ５２の両端部よりも中央寄りの内側に形成されている。
【００３５】
なお、防水ゴム５１は、インサート成形によってスペーサ５２の外周表面に隙間なく一体的に形成されることが好ましい。また、防水ゴム５１は、勿論、スペーサ５２と別体として、スペーサ５１の外周表面に密着して装着される構成としてもよい。
【００３６】
スペーサ５２は、アルミニウム、ステンレス、チタンなどの錆びにくい金属から形成され、焦点調整リング６およびズーム調整リング７の可動をスムーズにするための部品である。このスペーサ５２は、レンズ鏡筒２５の外周部で回動しないように嵌合固定されている。
【００３７】
以上のように構成された防水リング５０は、図６に示すように、レンズユニット部３の軸方向の同軸上に並設される焦点調整リング６およびズーム調整リング７に対向して形成される凹部６ａ，７ａの内面に防水ゴム５１の突起部５３が密着する構成となっている。
【００３８】
即ち、防水リング５０は、防水ゴム５１の各突起部５３が焦点調整リング６およびズーム調整リング７と密着するため、スペーサ５２が露出することなくレンズユニット部３内に水密保持された状態で収容されており、焦点調整リング６およびズーム調整リング７の間で防水ゴム５１のみ露出する。
【００３９】
このように本実施の形態の内視鏡用撮像装置１は、レンズユニット部３に設けられる可動する焦点調整リング６およびズーム調整リング７の間に介在するスペーサ５２が外部に露出しない構成であり、焦点調整リング６およびズーム調整リング７とスペーサ５２によって形成される狭い隙間に異物が入り込まない構成とすることができる。
【００４０】
したがって、医療用の内視鏡１００に装着される内視鏡用撮像装置１は、レンズユニット部３に並設された焦点調整リング６およびズーム調整リング７に介在するスペーサ５２によって形成される狭い隙間に汚物、菌などの進入が防止できる。
【００４１】
したがって、内視鏡用撮像装置１は、光学特性を可変調整する焦点調整リング６およびズーム調整リング７を防水リング５０によって確実に水密保持できる共に、洗浄の作業性が向上する構成となる。
【００４２】
なお、内視鏡用撮像装置１は、防水リング５０をスペーサ５２に防水ゴム５１をインサート成形することで、従来のようなＯリングなどのシール部材とスペーサを用いた複数の部品構成に比して、１つの部品構成とすることができるため、組み付け性が向上すると共に、コスト低減も実現することができる。
【００４３】
さらに、防水リング５０は、防水ゴム５１の両端に突起部５３が形成された構成であるため、従来のＯリングなどのシール部材に比して、各突起部５３が捩じれ難く、安定して確実に焦点調整リング６およびズーム調整リング７と密着するため水密保持性の低下も防止することができる。
【００４４】
（変形例）
以上に記載した防水リング５０は、以下に説明する種々の変形例に示す構成としてもよい。
【００４５】
（第１の変形例）
図７は、第１の変形例の防水リングの構成を示す斜視図、図８は第１の変形例の防水リングの構成を示す断面図、図９は第１の変形例の防水リングによって焦点調整リングおよびズーム調整リングを水密保持した状態を示す部分断面図である。
【００４６】
図７から図９に示すように、本変形例の防水リング５０は、防水ゴム５１の両端に形成される２つの突起部５３の間の中央部に外方へ突出する捻れ防止部としての凸部５４が周方向に形成されている。
【００４７】
この凸部５４を設けることで、防水リング５０の防水ゴム５１の捩じれが防止され、さらに安定して確実に焦点調整リング６およびズーム調整リング７と密着するため、防水リング５０の防水ゴム５１による水密保持性の低下も防止することができる。
【００４８】
（第２の変形例）
図１０は、第２の変形例の防水リングによって焦点調整リングおよびズーム調整リングを水密保持した状態を示す部分断面図である。
【００４９】
図１０に示すように、本変形例の防水リング５０は、防水ゴム５１の両端に形成される２つの突起部５３の間をより薄く形成して、各突起部５３がＯリングに近い形状となっている。
【００５０】
このような構成とすることで、防水リング５０の防水ゴム５１の両端に形成される各突起部５３が変形し易く柔軟性が増すため、防水リング５０の防水ゴム５１による焦点調整リング６およびズーム調整リング７との摺動抵抗を低減させることができる。
【００５１】
（第３の変形例）
図１１は、第３の変形例の防水リングによって焦点調整リングおよびズーム調整リングを水密保持した状態を示す部分断面図である。
【００５２】
図１１に示すように、本変形例の防水リング５０は、防水ゴム５１の両端に形成される２つの突起部５３の中央に溝部５３ａを設けて、各突起部５３を所謂２つ割にした構成となっている。
【００５３】
このような構成としても、防水リング５０の防水ゴム５１による焦点調整リング６およびズーム調整リング７との摺動抵抗を低減させることができる。
【００５４】
（第４の変形例）
図１２は、第４の変形例の防水リングによって焦点調整リングおよびズーム調整リングを水密保持した状態を示す部分断面図である。
【００５５】
図１２に示すように、本変形例の防水リング５０は、防水ゴム５１の両端に形成される２つの突起部５３の中央に２つの溝部５３ａを設けて、各突起部５３を所謂３つ割にした構成となっている。
【００５６】
このような構成としても、防水リング５０の防水ゴム５１による焦点調整リング６およびズーム調整リング７との摺動抵抗を低減させることができる。
【００５７】
（第５の変形例）
図１３は、第５の変形例の防水リングによって焦点調整リングおよびズーム調整リングを水密保持した状態を示す部分断面図である。
【００５８】
図１３に示すように、本変形例の防水リング５０は、防水ゴム５１の両端に形成される２つの突起部５３の中央に凸部５３ｂを設けた構成となっている。
【００５９】
このような構成とすることで、各突起部５３の凸部５３ｂが安定して確実に焦点調整リング６およびズーム調整リング７と密着するため、防水リング５０の防水ゴム５１による焦点調整リング６およびズーム調整リング７の水密保持性を向上させることができる。
【００６０】
（第６の変形例）
図１４は、第６の変形例の防水リングによって焦点調整リングおよびズーム調整リングを水密保持した状態を示す部分断面図である。
【００６１】
図１４に示すように、防水リング５０は、防水ゴム５１の両端に形成される２つの突起部５３を断面台形状にしてもよい。
【００６２】
（第７の変形例）
図１５は、第７の変形例の防水リングによって焦点調整リングおよびズーム調整リングを水密保持した状態を示す部分断面図である。
【００６３】
図１５に示すように、防水リング５０は、防水ゴム５１の両端に形成される２つの突起部５３を断面三角形状にしてもよい。
【００６４】
（第８の変形例）
図１６は、第８の変形例の防水リングによって焦点調整リングおよびズーム調整リングを水密保持した状態を示す部分断面図である。
【００６５】
さらに、図１６に示すように、防水リング５０は、防水ゴム５１の両端に形成される２つの突起部５３が断面三角形状を２つ並べた構成にしてもよい。
【００６６】
このような構成とすることで、第７の変形例に示した構成よりも、防水リング５０の防水ゴム５１による焦点調整リング６およびズーム調整リング７の水密保持性を向上させることができる。
【００６７】
（第９の変形例）
図１７は、第９の変形例の防水リングによって焦点調整リングおよびズーム調整リングを水密保持した状態を示す部分断面図である。
【００６８】
図１７に示すように、防水リング５０は、防水ゴム５１の両端に形成される２つの突起部５３が断面半円形状を２つ並べた構成にしてもよい。
【００６９】
このような構成としても、防水リング５０の防水ゴム５１による焦点調整リング６およびズーム調整リング７の水密保持性を向上させることができる。
【００７０】
（第１０の変形例）
図１８は、第１０の変形例の防水リングによって焦点調整リングおよびズーム調整リングを水密保持した状態を示す部分断面図である。
【００７１】
図１８に示すように、防水リング５０は、防水ゴム５１の両端に形成される２つの突起部５３が断面半円形状を複数、ここでは３つ並べた所謂蛇腹状の構成にしてもよい。
【００７２】
このような構成としても、防水リング５０の防水ゴム５１による焦点調整リング６およびズーム調整リング７の水密保持性を向上させることができる。
【００７３】
（第１１の変形例）
図１９は、第１１の変形例の防水リングによって焦点調整リングおよびズーム調整リングを水密保持した状態を示す部分断面図である。
【００７４】
図１９に示すように、本変形例の防水リング５０は、防水ゴム５１の両端に形成される２つの突起部５３に加え、第１の変形例と同様に、防水ゴム５１の両端に形成される２つの突起部５３の間の中央部に外方へ突出する凸部５５を周方向が形成されている。
【００７５】
ここでの防水ゴム５１に形成された凸部５５は、焦点調整リング６およびズーム調整リング７の外表面と密着している。
【００７６】
なお、スペーサ５２の中央部には、凸部５５が捩じれないように保持するための凸部状の骨部５２ａが外方に突出するように形成されている。
【００７７】
このような構成とすることで、防水リング５０の防水ゴム５１は、焦点調整リング６およびズーム調整リング７を突起部５３および凸部５５の２面が密着することで、より水密保持性を向上させることができる。
【００７８】
（参考例）
ところで、焦点調整リング６およびズーム調整リング７に用いられる一般的な防水構造として、Ｏリングなどのシール部材が用いられるが、これらシール部材が密着する接触面積が大きいため摺動抵抗により、焦点調整リング６およびズーム調整リング７の操作力量が増大してしまう。
【００７９】
そのため、焦点調整リング６およびズーム調整リング７の操作力量を低減させるための防水構造を以下に説明する。
【００８０】
図２０は、参考例の防水リングの構成を示す斜視図、図２１は参考例の防水リングの構成を示す断面図、図２２は参考例の防水リングの一部構成を示す拡大断面図、図２３は参考例の防水リングによって焦点調整リングおよびズーム調整リングを水密保持した状態を示す部分断面図である。
【００８１】
図２０から図２３に示すように、ここでの焦点調整リング６およびズーム調整リング７を水密保持する防水リング６０は、断面略三角形状をしたリング状の外方防水ゴム６１と、断面略半円状をしたリング状の内方防水ゴム６２と、外方防水ゴム６１が外周面側に設けられ、内方防水ゴム６２が内周面側に設けられた断面Ｈ状をしたリング状のフレーム６３と、を有して構成されている。
【００８２】
外方防水ゴム６１および内方防水ゴム６２は、アルミ、ステンレス、チタンなどの錆びにくい金属から形成されたフレーム６３にインサート成形によって密着して設けられている。
【００８３】
なお、外方防水ゴム６１および内方防水ゴム６２は、勿論、フレーム６３と別体として、フレーム６３の外内周表面に密着して装着される構成としてもよい。
【００８４】
フレーム６３は、図２２に示すように、両端に側面部６３ａによって、該内面が凹部状に形成されており、両端の側面部６３ａによって外方防水ゴム６１および内方防水ゴム６２を抑えるように保持して、外方防水ゴム６１および内方防水ゴム６２が押し潰された状態でも捻れを防止する姿勢決め構造を構成している。
【００８５】
また、防水リング６０は、図２３に示すように、レンズ鏡筒２５の外周部で回動しないように２つ設けられている。そして、２つの防水リング６０は、個々に外方防水ゴム６１または内方防水ゴム６２を水密保持する。
【００８６】
なお、レンズ鏡筒２５には、２つの防水リング６０が捩じれないように、フレーム６３の側面部６３ａに面接触するようにリング状のスペーサ６４，６５が設けられている。
【００８７】
このように構成された本参考例の内視鏡用撮像装置１は、従来のようにＯリングなどのシール部材によって焦点調整リング６およびズーム調整リング７を水密保持する構成に比して、防水リング６０の外方防水ゴム６１の略三角形状の頂部が焦点調整リング６およびズーム調整リング７の凹部６ａ，７ａの内面に密着することで、しめしろを保ったまま、接触面積を減少させることができる。
【００８８】
これにより、焦点調整リング６およびズーム調整リング７の操作力量を低減させることができる。
【００８９】
特に、焦点調整リング６およびズーム調整リング７と密着する外方防水ゴム６１の頂部が押し潰された状態でも、外方防水ゴム６１の両側部分がフレーム６３の側面部６３ａによる姿勢決め構造によって保持されることで、外方防水ゴム６１の捻れが防止されるため、外方防水ゴム６１の頂部を確実に焦点調整リング６およびズーム調整リング７に密着させることができる。
【００９０】
これにより、焦点調整リング６およびズーム調整リング７を確実に水密保持することができる。
【００９１】
なお、本発明は、以上説明した各実施形態に限定されることなく、種々の変形や変更が可能であり、それらも本発明の技術的範囲内である。
【符号の説明】
【００９２】
１…内視鏡用撮像装置
２…内視鏡接続部
３…レンズユニット部
４…カメラ部
４ａ…外装部
５…ケーブル
６…焦点調整リング
６ａ，７ａ…凹部
７…ズーム調整リング
８…スイッチ類
１１…保持管
１２…外装部
２１…カバーガラス
２２…カバーガラス保持枠
２３…皿ビス
２４…レンズ鏡筒
２５…カプラーオサエ
２６…焦点調整レンズ
２７…第１の移動レンズ枠
２８…前方レンズ
２９…第２の移動レンズ枠
３０…ズームレンズ群
３１…第３の移動レンズ枠
３２…後群レンズ
３３…固定レンズ枠
３６…Ｏリング
３７…撮像素子
３８…撮像素子基板
４１…フレームカバー
４２…背面フレーム
４３…ケーブル保持フレーム
４４…硬質基板
４５…基板ホルダ
５０…防水リング
５１…防水ゴム
５１…スペーサ
５１…防水ゴム
５２…スペーサ
５２ａ…骨部
５３…突起部
５３ａ…溝部
５３ｂ，５４，５５…凸部
６０…防水リング
６１…外方防水ゴム
６２…内方防水ゴム
６３…フレーム
６３ａ…側面部
６４，６５…スペーサ
１００…内視鏡
１０１…挿入部
１０２…接眼部
【図１】
0006411291.tif 000002
【図２】
0006411291.tif 000003
【図３】
0006411291.tif 000004
【図４】
0006411291.tif 000005
【図５】
0006411291.tif 000006
【図６】
0006411291.tif 000007
【図７】
0006411291.tif 000008
【図８】
0006411291.tif 000009
【図９】
0006411291.tif 000010
【図１０】
0006411291.tif 000011
【図１１】
0006411291.tif 000012
【図１２】
0006411291.tif 000013
【図１３】
0006411291.tif 000014
【図１４】
0006411291.tif 000015
【図１５】
0006411291.tif 000016
【図１６】
0006411291.tif 000017
【図１７】
0006411291.tif 000018
【図１８】
0006411291.tif 000019
【図１９】
0006411291.tif 000020
【図２０】
0006411291.tif 000021
【図２１】
0006411291.tif 000022
【図２２】
0006411291.tif 000023
【図２３】
0006411291.tif 000024